(57)【要約】      （修正有）【課題】手提げ袋に付加価値を備え、広告効果を増加し、商品展示価値を与え、趣のあるものにする連動式袋体展示構造を提供する。【解決手段】連動式袋体展示構造は、展示構造の凸伸と隠蔵を達成する手提げ袋の設計であり、その設計は、袋体の手提げ紐が連動構造関係をなし、紐を引く時、引合作用により、一片、或いは、一片以上の展示片を帯動し、展示片を快速に袋内から袋外に伸出させ、手提げ紐を放す時、前述の一片、或いは、それ以上の展示片は、連設される重力物により、瞬間に展示片を袋体内の隠蔵して、新規、且つ、新奇の袋体広告展示功能を達成する。【選択図】図２
0003126977.tif 000002
【実用新案登録請求の範囲】
【請求項１】
連動式袋体展示構造であって、主に、袋体、手提げ紐、展示片、重力物からなり、その特徴は、
前記手提げ紐は、前記袋体両側外部の頂縁の貫通孔から穿入し、前記袋体内面に固設される中空補助片により隠蓋され、前記手提げ紐は、前記中空補助片内で、適当な引き、釈放で上下滑移し、前記中空補助片を穿出する手提げ紐両端の結合箇所に、一つ、或いは、それ以上の重力物を配接し、且つ、前記中空補助片以下の手提げ紐幅の位置上に、一片、或いは、一片以上の湾曲型展示片を連設し、前記展示片は前記袋体が設ける槽により穿出し、前記手提げ紐と同時性の連動関係構造を形成し、
上述の構造により、手提げ紐を引く時、前記展示片が伸出し、放す時、前記展示片が縮入して、広告、展示、笑い、人物風刺の効果を表現することを特徴とする連動式袋体展示構造。
【請求項２】
前記展示片は直片体で、直接対合すると共に、前記袋体槽を穿出し、前記手提げ紐を引く時、前記展示片が縮入し、放す時、前記展示片が伸出し、相反する動作を呈することを特徴とする請求項１に記載の連動式袋体展示構造。
【請求項３】
前記展示片は、前記袋体表面にパターンを印刷し、造形物により代替することができることを特徴とする請求項１に記載の連動式袋体展示構造。
【請求項４】
前記手提げ紐上部は、とっての設計を採用してもよいことを特徴とする請求項１に記載の連動式袋体展示構造。
【請求項５】
前記中空補助片以下の手提げ紐部分は、硬質の棒体により代替してもよいことを特徴とする請求項１に記載の連動式袋体展示構造。
【考案の詳細な説明】
【技術分野】
【０００１】
本考案は 連動式袋体展示構造に関し、詳細には、袋体の手提げ紐が連動関係をなし、配設する展示片が、隠蔵、快速伸出する連動式袋体展示構造に関する。
【背景技術】
【０００２】
市場における手提げ袋は百種百様のデザイン、大きさ、各種材料からなる。手提げ袋は、携帯、収容の目的の他、平面広告としての展示効果もあり、化粧品、食品、飲料、ギフト業者に重用されている。
【０００３】
一般の手提げ袋は、大部分の人が異口同音に「紙製で手提げ紐がついたもの」と連想し、この種の袋体は、生活において、何時でもどこでも見られるものであるが、特に何かを連想したり、感じたりすることはなく、模様のついた平面広告としてしか捉えておらず、消費者の注意を引くことがない。
【０００４】
公知の手提げ袋は紙製で、中にはプラスチックと布製もある。しかし、構造と功能は千篇一律で、物品を収容し、携帯するものである。よって、構造的に、折りと縫いにより袋状にし、両辺に手提げ紐を設置し、袋体が完成する。袋体の面にパターンを印刷し、広告用にしているものもある。
【０００５】
公知の袋体から分かるように、業者は費用を費やして、大量の袋を販売目的、或いは、広告用とするが、実質上、何ら報いを得ておらず、却って、環境保全の点から見て、資源の無駄遣いとされる。
【考案の開示】
【考案が解決しようとする課題】
【０００６】
本考案の目的は、公知の手提げ袋に付加価値を備え、広告効果を増加し、商品展示価値を与え、趣のあるものにする連動式袋体展示構造を提供することにある。
【課題を解決するための手段】
【０００７】
本考案の連動式袋体展示構造は、袋体、手提げ紐、展示片、重力物等からなり、袋体の手提げ紐を引くと、展示片を帯動し、展示片が快速に袋内から袋外に伸出し、紐を放すと、重力物により瞬間に展示片が袋体内に隠蔵される。
【考案の効果】
【０００８】
本考案の連動式袋体展示構造は、以下のような効果が達成される。
１．広告功能の増加。主に、手提げ袋の手提げ紐を持ち上げる時、広告性のある文字、パターン符号等の一片、或いは、一片以上の展示片を、袋体内部から袋体外に凸伸させ、立体と動態表現効果を達する。
２．ユーモアや面白さ。手提げ袋の袋体の手提げ紐を持ち上げたり、下ろしたりすることにより、一片、或いは、一片以上の展示片を、袋体内部から袋体外に凸伸させるか、或いは、袋体内に縮回すると同時に、袋体表面のパターンにより、怖さ、爆笑、人物風刺等の立体動態表現効果を達成する。
３．商品展示功能の増加。主に、袋体の手提げ紐を持ち上げる時、一片、或いは、一片以上で、且つ、商品形状と同じ展示片を、袋体内部から袋体外に凸伸させ、充分に目立つ立体動態「商品広告展示効果」を達成する。
【考案を実施するための最良の形態】
【０００９】
図１で示されるように、本考案の外観形態は公知の袋体と同様で、紙類、プラスチック材、布材からなる。図２も合わせて参照すると、本考案の構造は、袋体１、手提げ紐２、展示片３、重力物４等からなり、手提げ紐２は、袋体１両側外部頂縁に設けられた貫通孔１１から穿入し、両側の手提げ紐２は、袋体１内面に固設された中空補助片１２により隠蓋すると共に、手提げ紐２がこの中空補助片１２を通過した後、手提げ紐２は中空補助片１２内で、上移、下移の二種の動作能力を達成する。
【００１０】
手提げ紐２は、中空補助片１２を通過した後、適当な上下滑移の遊びを有し、手提げ紐２が穿出する頭、末端は、両端頭２１の結合時、この部位は、一つ、或いは、それ以上の重力物４を配接し、手提げ紐２が重力物４により釈放後の復位重力を形成して、本考案は手提げ紐２が提携、連動性を有する袋体１の主要構造となる。
【００１１】
図２で示されるように、手提げ紐２両端結合箇所に配接された重力物４は、袋体１内部に蔵置される。中空補助片１２以下の手提げ紐２の幅の位置上に、一片、或いは、一片以上の湾曲型展示片３を連設し、展示片３は袋体が設ける槽１３により穿出し、手提げ紐２と同時性の連動関係構造を形成する。簡単に言えば、手提げ紐２を引くか否かで、展示片３の隠蔵縮入、或いは、凸伸を実施し、連動機能を達する。
【００１２】
図３は、本考案の操作と実施方式を示し、手提げ紐２を引く時、手提げ紐２は引合作用力を受けて、一片、或いは、一片以上の湾曲型展示片３を帯動し、展示片３は袋内から袋外に伸出する。反対に、手提げ紐２を放す時、連設された重力物４は、手提げ紐２を下移させ、展示片３を袋体内に戻し、新規、新奇的な袋体広告展示効果を表す。
【００１３】
図４は、本考案の同構造のもう一つの実施例で、その構造の差異は、展示片３を直接袋体槽１３に正面挿入していることで、実施方式と前実施例は相反動作をする。故に、手提げ紐２を引く時、手提げ紐２は引合作用力を受けることにより、展示片３を袋体１に復位させ、反対に、手提げ紐２を放す時、連設される重力物４は手提げ紐２を下移させ、展示片３を袋内から袋外に伸出させ、新規、新奇的な袋体広告展示効果を表す。
【００１４】
図５で示されるように、本実施例中、前述の展示片３を造形物Aにより代替し、袋体１表面に印刷されたパターンにより、立体性の表面動作を達し、怖さ、爆笑、人物風刺等の特別な効果を達成する。
【００１５】
最後に、本考案の設計精神と基本構造を変更しない下、手提げ紐２をとってにしてもよく、且つ、中空補助片１２以下の手提げ紐２部分は硬質の棒体により代替してもよく、手提げ紐２は、適当な上下滑移遊びを有し、同等の連動効果を達する。
【図面の簡単な説明】
【００１６】
【図１】本考案の好ましい実施例による立体外観図である。
【図２】本考案の構造透視図である。
【図３】本考案の全体断面構造図である。
【図４】本考案のもう一つの実施例による全体断面構造、及び、実施図である。
【図５】本考案の立体性動作実施図である。
【符号の説明】
【００１７】
１        袋体
１１      貫通孔
１２      中空補助片
１３      槽
２        手提げ紐
２１      両端頭
３        展示片
４        重力物
A        造形物  
【図１】
0003126977.tif 000003
【図２】
0003126977.tif 000004
【図３】
0003126977.tif 000005
【図４】
0003126977.tif 000006
【図５】
0003126977.tif 000007